(57)【要約】【課題】  足括り罠の仕掛け時において踏体とワイヤロープの括り輪との上下方向の間隔を十分に確保し、足が踏体を踏んだ作動初期段階で、括り輪が足の比較的高い位置にあるようにして、捕獲獣の足の上部を確実に深く括るようにして捕獲率を向上させる。【解決手段】  足括り罠は基アームと跳上アームを有し、両アームの先端部にはトリガー具(4)が係着されている。トリガー具(4)は、基アームと跳上アームの先端部に係着可能な係止基具(40)を有し、係止基具(40)には案内部材(41)が垂直に設定可能に設けられ、案内部材(41)には踏板(7)を受ける踏板受具(42)が上下方向に位置の調整ができるよう取り付けてある。【選択図】        図２
2005253343.tif 000002
【特許請求の範囲】
【請求項１】
踏体(7)の上側に括り輪(50)を有し、捕獲獣が踏体(7)を踏むと踏体(7)と協働して罠を作動させるトリガー具(4)が動き、括り輪(50)が捕獲獣の足を括る足括り罠において、
トリガー具(4)は、基体(40)と踏体繋体(42)を備え、該踏体繋体(42)は基体(40)に対して高さ方向の位置調整ができる構造を有し、踏体(7)と括り輪(50)間の距離の調整ができるようにしてあることを特徴とする、
足括り罠。
【請求項２】
トリガー具(4)は、踏体(7)の高さが、トリガー具(4)の回動中心(12)の高さと本質的に同じか、それより低い位置に設定できるよう構成してあることを特徴とする、
請求項１記載の足括り罠。
【請求項３】
トリガー具(4)の踏体繋体(42)の上下方向の角度が調整可能であることを特徴とする、
請求項１または２記載の足括り罠。
【請求項４】
踏体(7)の上側に括り輪(50)を有し、捕獲獣が踏体(7)を踏むと踏体(7)と協働して罠を作動させるトリガー具(4)が動き、括り輪(50)が捕獲獣の足を括る足括り罠において、
トリガー具(4)は、踏体(7)の高さが、トリガー具(4)の回動中心(12)の高さと本質的に同じか、それより低い位置に設定されていることを特徴とする、
足括り罠。
【請求項５】
踏体(7)の上側に括り輪(50)を有し、捕獲獣が踏体(7)を踏むと踏体(7)と協働して罠を作動させるトリガー具(4)が動き、括り輪(50)が捕獲獣の足を括る足括り罠に使用するトリガー具(4)であって、
基体(40)と踏体繋体(42)を備え、該踏体繋体(42)は基体(40)に対して高さ方向の位置調整ができる構造を有し、踏体(7)と括り輪(50)間の距離の調整ができるようにしてあることを特徴とする、
罠用トリガー具。
【請求項６】
踏体繋体(42)の上下方向の角度が調整可能であることを特徴とする、
請求項５記載の罠用トリガー具。
【請求項７】
踏体(7)の上側に括り輪(50)を有し、捕獲獣が踏体(7)を踏むと踏体(7)と協働して罠を作動させるトリガー具(4)が動き、括り輪(50)が捕獲獣の足を括る足括り罠に使用するトリガー具(4)であって、
基体(40)と、
基体(40)に回動調整できるよう構成してある案内部材(41)と、
案内部材(41)に高さ方向に位置を変えて取り付けができるよう構成してある踏体繋体(42)と、
を備えていることを特徴とする、
罠用トリガー具。
【請求項８】
踏体繋体(42)の高さの調整範囲を拡げるための延長部材(45)が設けてあることを特徴とする、
請求項５、６または７記載の罠用トリガー具。
【請求項９】
踏体繋体(42)の高さが、トリガー具(4)の回動中心(12)の高さと本質的に同じか、それより低い位置に設定できるよう構成してあることを特徴とする、
請求項５、６、７または８記載の罠用トリガー具。
【発明の詳細な説明】
【技術分野】
【０００１】
本発明は、足括り罠及び罠用トリガー具に関するものである。更に詳しくは、足括り罠の仕掛け時において、踏体とワイヤロープの括り輪との間隔を十分に確保して、捕獲獣の足を深く括るようにし、更に捕獲獣の足が穴の縁部を踏んだときの空作動をなくして、捕獲率を向上させることができる足括り罠及び罠用トリガー具に関する。
【背景技術】
【０００２】
イノシシ等の捕獲獣を捕獲するための足括り罠は、罠を作動させるときにトリガーとなり踏板を受けるトリガー具を有している。トリガー具は、例えば足括り罠の構造が下アームと跳上げ式の上アームを有するものでは、両アームの先端部に係着されるよう構成してある（特許文献１参照）。
また、特許文献１から引用した図８に示すように、踏板７を受けるトリガー具４ａの受部材４２９ｂの高さは、基アーム１ａより高くなるよう設定されており、踏板７はワイヤロープ５の括り輪５０の仕掛け時の高さに近くなり、踏板７と括り輪５０の間はあまり間隔が空かないようになっている。
【０００３】
【特許文献１】特開２０００−１２５７４３
【発明の開示】
【発明が解決しようとする課題】
【０００４】
足括り罠においては、捕獲獣の足を括る位置が高いほど、すなわち足の上部に近いほど捕獲効率がよい。しかしながら、特許文献１に記載されたトリガー具４ａでは、足括り罠の仕掛け時において、踏板７を比較的高い位置に設定することになるので、踏板７とワイヤロープ５の括り輪５０との上下の間隔があまりない。
このため、罠作動時には、ワイヤロープ５の括り輪５０は、踏板７より僅かに高い位置から上昇して捕獲獣の足を括ることになる。これでは、括るタイミングが遅れて足の上部（基部）を深く括ることができない場合があり、結果的に捕獲獣を逃がしてしまうこともあった。
特に、足括り罠を仕掛ける際に罠本体を獣道脇の傾斜地に設置する場合では、上アーム２ａの跳上げ方向及び括り輪５０の移動方向が水平に近い横方向になり、更に括りにくくなるために捕獲率が低下するという課題もあった（参考：図５）。
【０００５】
また、次のような課題もあった。すなわち、図８に示すように係着されたトリガー具４ａの踏板７を受ける受部材４２９の高さが、トリガー具４ａの回動中心である係止ピン１２ａの高さより高いので、トリガー具４ａが落ちようと下方へ回動するときに、受部材４２９のうち踏板７を受ける底部４２９ｂが回動中心と同じ高さを過ぎるまで、背部４２９ａが踏板７を水平方向にＬ分だけ押す動作をする。このため、作動時の抵抗が比較的大きく、罠の作動においては、この抵抗によるごく僅かな作動の遅れが捕獲失敗につながることもあった。
【０００６】
更には、括り輪５０と踏板７の上下の間隔があまりないと、図９に示すように踏板７は設置したときの位置が浅くなり、穴８０の縁部近傍に位置する。そして、捕獲獣の足９が、本来足を括ることができない位置である穴８０の縁部すなわち括り輪５０のワイヤーに近い位置を踏んだときにも、穴８０縁部の土が崩れて、あるいは足が直接踏板７に触れて、足括り罠が作動してしまうことがあった。この場合、足括り罠が作動しても、足９を括ることはできないので、結果的に空作動となり、足括り罠を再びセットしなければならなかった。
【０００７】
（本発明の目的）
本発明は、足括り罠の仕掛け時において踏体とワイヤロープの括り輪との上下方向の間隔を十分に確保し、捕獲獣の足が踏体を踏んだ作動初期段階で、括り輪が足の比較的高い位置にあるようにして、捕獲獣の足の上部（基部）を確実に深く括るようにし、更に捕獲獣の足が穴の縁部を踏んだときの空作動をなくして、捕獲率を向上させることができる足括り罠及び罠用トリガー具を提供することを目的とする。
【課題を解決するための手段】
【０００８】
上記課題を解決するために本発明が講じた手段は次のとおりである。
第１の発明にあっては、
踏体の上側に括り輪を有し、捕獲獣が踏体を踏むと踏体と協働して罠を作動させるトリガー具が動き、括り輪が捕獲獣の足を括る足括り罠において、
トリガー具は、基体と踏体繋体を備え、該踏体繋体は基体に対して高さ方向の位置調整ができる構造を有し、踏体と括り輪間の距離の調整ができるようにしてあることを特徴とする、
足括り罠である。
【０００９】
第２の発明にあっては、
トリガー具は、踏体の高さが、トリガー具の回動中心の高さと本質的に同じか、それより低い位置に設定できるよう構成してあることを特徴とする、
第１の発明に係る足括り罠である。
【００１０】
第３の発明にあっては、
トリガー具の踏体繋体の上下方向の角度が調整可能であることを特徴とする、
第１または第２の発明に係る足括り罠である。
【００１１】
第４の発明にあっては、
踏体の上側に括り輪を有し、捕獲獣が踏体を踏むと踏体と協働して罠を作動させるトリガー具が動き、括り輪が捕獲獣の足を括る足括り罠において、
トリガー具は、踏体の高さが、トリガー具の回動中心の高さと本質的に同じか、それより低い位置に設定されていることを特徴とする、
足括り罠である。
【００１２】
第５の発明にあっては、
踏体の上側に括り輪を有し、捕獲獣が踏体を踏むと踏体と協働して罠を作動させるトリガー具が動き、括り輪が捕獲獣の足を括る足括り罠に使用するトリガー具であって、
基体と踏体繋体を備え、該踏体繋体は基体に対して高さ方向の位置調整ができる構造を有し、踏体と括り輪間の距離の調整ができるようにしてあることを特徴とする、
罠用トリガー具である。
【００１３】
第６の発明にあっては、
踏体繋体の上下方向の角度が調整可能であることを特徴とする、
第５の発明に係る罠用トリガー具である。
【００１４】
第７の発明にあっては、
踏体の上側に括り輪を有し、捕獲獣が踏体を踏むと踏体と協働して罠を作動させるトリガー具が動き、括り輪が捕獲獣の足を括る足括り罠に使用するトリガー具であって、
基体と、
基体に回動調整できるよう構成してある案内部材と、
案内部材に高さ方向に位置を変えて取り付けができるよう構成してある踏体繋体と、
を備えていることを特徴とする、
罠用トリガー具である。
【００１５】
第８の発明にあっては、
踏体繋体の高さの調整範囲を拡げるための延長部材が設けてあることを特徴とする、
第５、第６または第７の発明に係る罠用トリガー具である。
【００１６】
第９の発明にあっては、
踏体繋体の高さが、トリガー具の回動中心の高さと本質的に同じか、それより低い位置に設定できるよう構成してあることを特徴とする、
第５、第６、第７または第８の発明に係る罠用トリガー具である。
【００１７】
足括り罠の構造としては、跳上げ式のアームを備え、アームによってワイヤの括り輪を上昇させて絞る構造の他、例えばスプリングによってワイヤの括り輪を上昇させて絞る構造等があるが、捕獲獣の足を括って捕獲するものであれば、他の構造のものを採用してもよい。
【００１８】
トリガー具の踏体繋体の高さを調整する構造は、公知の各手段が採用され、特に限定されるものではない。例えば、基体に上下方向に案内部を設け、この案内部に踏体繋体を移動可能に取り付け、ネジなどの固定具により任意の位置で固定できるようにした構造、または基体に上下方向に複数の取付部を設け、踏体繋体を任意の取付部に取り付けるようにした構造などである。
【００１９】
踏体繋体は、例えば踏体を載置または保持して本質的に繋ぐ構造、または踏体を接続して繋ぐ構造等であるが、踏体をトリガー具に繋ぐことができれば、これらの構造に限定されるものではなく、他の公知構造が採用できる。また、踏体繋体は、作動後、踏体が外れる構造でもよいし、外れない構造でもよい。
【００２０】
トリガー具は、罠作動後に罠本体から外れる構造でもよいし、外れない構造でもよい。また、外れる構造の場合は、単に係合箇所が外れるようにしてあるもの、あるいは取付具の破損または分解、離脱等によって外れるようにしてあるもの等がある。
【００２１】
「踏体の高さが、トリガー具の回動中心の高さと本質的に同じ」とは、踏体の高さがトリガー具の回動中心の高さより若干高いものも含む概念である。
【００２２】
トリガー具の踏体繋体の上下方向の角度を調整可能とする構成は、公知のものが採用され、特に限定されるものではない。例えば、基体と踏体繋体を蝶ネジなどを使用して相互に上下方向に回動できるようにして取り付け、任意の角度に調整できる構造、また同様の構造で更に基体と踏体繋体の密着部に凹凸を設け、これらを係合密着させて所要角度での固定をより確実にできるようにしたものなどである。
【００２３】
（作用）
本発明に係る足括り罠及び罠用トリガー具の作用を説明する。なお、ここでは説明を分かりやすくするために、本発明の各構成要件のそれぞれに、後述する実施の形態において各部に付与した符号を対応させて付与し説明するが、この符号の付与はあくまで説明の理解を助けるためであって、各構成要件の上記各部への限定を意味するものではない。
【００２４】
足括り罠(W)は、トリガー具(4)が、基体(40)と踏体繋体(42)を備え、該踏体繋体(42)は基体(40)に対して高さ方向の位置調整ができる構造を有し、踏体(7)と括り輪(50)間の距離の調整ができるように構成してある。
これにより、足括り罠(W)を仕掛けたときに、踏体繋体(42)に繋がれる踏体(7)と、踏体(7)の上方に、カムフラージュのために載せられる落ち葉や草の上に拡げて置かれるワイヤロープ(5)の括り輪(50)との上下方向の間隔を十分に確保できる。
【００２５】
すなわち、足括り罠(W)を仕掛けるときのワイヤロープ(5)の括り輪(50)の罠本体に対する相対的な高さは、括り輪(50)を確実に引き絞ることができる高さにほぼ決まっている。従って、従来の罠のようにトリガー具(4)の高さ、つまり踏体の高さがある高さに固定されている場合、踏体とワイヤロープ(5)の括り輪(50)との上下方向の間隔は実質的に調整できない。
【００２６】
これに対して本発明に係る足括り罠(W)は、トリガー具(4)の踏体繋体(42)の高さ、すなわち踏体(7)の高さが調整可能であるので、括り輪(50)の罠本体に対する相対的な高さが決まっていても、踏体(7)の高さを、必要に応じて足括り罠(W)の下アーム(1)や上アーム(2)を含む罠本体と相対的に低い高さに設定でき、足括り罠(W)を仕掛けたときの踏体(7)とワイヤロープ(5)の括り輪(50)との上下方向の間隔が大きくなるよう設定可能である。
【００２７】
踏体(7)と括り輪(50)との上下方向の間隔が大きくなれば、捕獲獣の足が踏体(7)を踏んだときの括り輪(50)の位置は、罠(W)の作動始めにおいても相当に高い位置にあり、捕獲獣の足の上部、つまり足の付け根により近く深い位置を括りやすくなる。括り輪(50)が足の深い位置を括ることにより、捕獲獣はワイヤロープ(5)からの脱出がより困難になる。
【００２８】
また、捕獲獣の足(9)が、本来足を括ることができない位置である穴(80)の縁部すなわち括り輪(50)のワイヤーに近い位置を踏んだときに、足が直接踏体(7)に触れることはなく、また、穴縁部の土が崩れたとしても、踏体(7)が下方へ離れているため簡単に落ちてしまうことがない。これにより、足括り罠の空作動を防止できる。
【００２９】
更には、足括り罠(W)を一旦設置した後、踏体(7)の高さを調整する必要が生じたときも、罠本体はそのまま動かさずに、トリガー具(4)の踏体繋体(42)の高さのみを変えて対処できる。
【００３０】
踏体(7)の高さが、トリガー具(4)の回動中心の高さと本質的に同じか、それより低い位置に設定できるよう構成してあるものは、トリガー具(4)は、罠作動時において、上記のように踏体(7)を水平方向に押す動作をすることは本質的にない。これにより、大きな抵抗を生じることなく下方へ回動（移動）する。
【００３１】
トリガー具(4)の踏体繋体(42)の上下方向の角度が調整可能であるものは、例えば罠(W)を傾斜地に仕掛けなければならないとき、罠本体を斜めに設置した状態でも、踏体(7)を水平に設置することが可能となる。これにより、踏体(7)に対して捕獲獣の体重が、垂直方向に確実にかかるので、傾斜地に仕掛けた罠(W)の作動感度が低下することを防止できる。
【００３２】
踏体繋体の高さの調整範囲を拡げるための延長部材が設けてある罠用トリガー具は、例えば案内部材(41)の上部または下部に延長部材(45)を接続して本質的に案内部材(41)の長さを上下方向に延長することができる。これにより、罠の接地箇所の状況に応じて踏体の高さを調整する場合、調整範囲が広がる。
【発明の効果】
【００３３】
（ａ）本発明に係る足括り罠によれば、トリガー具の踏体繋体の高さ、すなわち踏体の高さが調整可能であるので、括り輪の罠本体に対する相対的な高さが決まっていても、踏体の高さを、必要に応じて足括り罠の下アームや上アームを含む罠本体と相対的に低い高さに設定でき、足括り罠を仕掛けたときの踏体とワイヤロープの括り輪との上下方向の間隔が大きくなるよう設定可能である。
従って、踏体と括り輪との上下方向の間隔を大きくして捕獲獣の足が踏体を踏んだときの括り輪の位置が、罠の作動始めにおいても相当に高い位置になるようにしておくことができ、これにより捕獲獣の足の上部、つまり足の付け根により近く深い位置を括りやすくなり、捕獲獣はワイヤロープからの脱出がより困難になり、捕獲率が向上する。
また、捕獲獣の足が、本来足を括ることができない位置である穴の縁部すなわち括り輪のワイヤーに近い位置を踏んだときに、足が直接踏体に触れることはなく、また、穴縁部の土が崩れたとしても、踏体が下方へ離れているため簡単に落ちてしまうことがない。これにより、足括り罠の空作動を防止できる。
更には、足括り罠を一旦設置した後、踏体の高さを調整する必要が生じたときも、罠本体はそのままで、トリガー具の受部の高さのみを変えて対処できる。
【００３４】
（ｂ）踏体の高さが、トリガー具の回動中心の高さと本質的に同じか、それより低い位置に設定できるよう構成してあるものは、トリガー具は、罠作動時において、踏体を水平方向に押す動作をすることは本質的にない。これにより、大きな抵抗を生じることなく下方へ回動（移動）する。これにより、足括り罠の円滑な作動が可能になって作動感度が上がり捕獲率が向上する。
【００３５】
（ｃ）トリガー具の踏体繋体の上下方向の角度が調整可能であるものは、例えば罠を傾斜地に仕掛けなければならないとき、罠本体を斜めに設置した状態でも、踏体を水平に設置することが可能となる。
これにより、踏体に対して捕獲獣の体重が垂直方向により確実にかかるので、傾斜地に仕掛けた足括り罠の作動感度が低下することを防止できる。
【００３６】
（ｄ）踏体繋体の高さの調整範囲を拡げるための延長部材が設けてある罠用トリガー具は、例えば案内部材の上部または下部に延長部材を接続して本質的に案内部材の長さを延長することができる。これによって、罠の接地箇所の状況に応じて踏体の高さを調整する場合、調整範囲が広がり、より良い位置での設定が可能になり、結果的に捕獲率を向上させることができる。
【発明を実施するための最良の形態】
【００３７】
本発明を図に示した実施例に基づき詳細に説明する。
【実施例】
【００３８】
図１は本発明に係る足括り罠の設置状態を示す設置穴を断面した説明図、
図２は本発明に係る罠用トリガー具の実施の形態を示す分解斜視図、
図３は罠用トリガー具の取り付け部分を示す説明図である。
【００３９】
（トリガー具４の構造）
図２を主に参照する。
足括り罠のトリガーとして使用するトリガー具４は、後述する足括り罠Ｗの基アーム１と跳上アーム２に係止される、基体である係止基具４０と、係止基具４０に設けてある案内部材４１と、案内部材４１に上下方向に位置を変えて取り付け可能な踏体繋体である踏板受具４２を備えている。
なお、各部材の材料については特に限定するものではなく、例えばアルミニウム、鉄、各種合金（アルミニウム合金等）等の金属、合成樹脂等を使用することができる。
【００４０】
係止基具４０は、縦係止片４０１を有している。縦係止片４０１の後部には、基アーム１先端部にある係止ピン１２（後述）に下側から係止される係止凹部４０２が設けてある。縦係止片４０１の後部側上部には、横係止片４０３が縦係止片４０１に対し直角に設けてある。横係止片４０３は、係止凹部４０２から前方へややずらしてあり、その下方には係止部２１０を差し入れるための空隙４０５がある。横係止片４０３の後端部の係止部は、跳上アーム２の先端部にある先部係止具２１の係止部２１０と係止される。
【００４１】
縦係止片４０１の前部には、片面側に膨らんだ肉厚部４０４が設けてあり、肉厚部４０４を貫通してネジ孔（図では見えない）が設けてある。縦係止片４０１の下部は、山形に形成してある。
案内部材４１は、係止基具４０の縦係止片４０１に固定されるほぼ円板状の縦片４１１を有している。縦片４１１の中央部には、挿通孔（図では見えない）が貫通して設けてある。
【００４２】
縦片４１１には、ほぼ長方形で板状の座部材４１２が直角に設けてある。座部材４１２の長手方向の両側縁部には、補強のための立ち上げ部４１３がそれぞれ全長にわたり設けてある。座部材４１２には、長手方向へ等間隔で四箇所にネジ孔４１４が貫通して設けてある。そして、座部材４１２には、踏板受具４２が取り付けられている。
【００４３】
踏板受具４２は、踏体である踏板７を載置する断面Ｌ状の受部材４２１を有している。受部材４２１は背部４２１ａと底部４２１ｂからなり、その中央部には、上記案内部材４１の座部材４１２の立ち上げ部４１３間に嵌め入れることができる嵌合部４２２、４２３が背面側と底面側へやや突出して同じ幅で設けてある。背部４２１ａの嵌合部４２２の中央部には、三箇所に挿通孔４２４が貫通して設けてある。また、底部４２１ｂの嵌合部４２３の中央部には、一箇所に挿通孔４２５が設けてある。なお、受部材４２１の背部４２１ａの両端部には、上部側が背側へやや湾曲した引掛爪４２６が立設されている。
【００４４】
そして、係止基具４０と案内部材４１は、図３に示す角度（横係止片４０３と案内部材４１が直角になるように）で固定ネジ４３により締め付けて固定される。また、踏板受具４２は、受部材４２１の背部４２１ａの嵌合部４２２を案内部材４１の座部材４１２に嵌め入れ、挿通孔４２４を座部材４１２に設けられたネジ孔４１４のうち任意のネジ孔に合わせて固定ネジ４４により締め付けて固定される。
この設定によると、罠セット時に穴の形状あるいは各種状況に合わせて踏板７の高さを調整することができる。
【００４５】
（足括り罠Ｗの構造）
図１を参照する。
足括り罠Ｗは、下アームである基アーム１と、基アーム１に回動自在に取り付けられた上アームである跳上アーム２と、両アーム１、２を拡開方向へ付勢する二本のねじりコイルバネ３と、罠を作動させるためのトリガーとなる上記したトリガー具４と、罠作動時における両アーム１、２の拡開によって、捕獲獣を括って捕獲するワイヤロープ５を備えている。
【００４６】
基アーム１と跳上アーム２はアルミニウム製で、精密鋳造法であるダイキャスト法で形成されている。なお、精密鋳造の方法は、ダイキャスト法に限定されるものではなく、ロストワックス法等、他の方法を採用することもできる。
基アーム１は、所定の長さを有し、基部側は一部が上方へ傾斜して設けられている。傾斜部は厚さ方向の片側が切欠されており、薄肉の取付部１０が形成されている。取付部１０を形成する停止段部１００は、傾斜して直線的に形成されている。基アーム１の先端部には、縦方向に係合溝（図示省略）が設けてある。基アーム１の先端部には、係止ピン１２が上記係合溝を通って横方向に取り付けてある。
【００４７】
また、基アーム１のうち係止ピン１２よりやや後方には、杭管６が軸ピン６３によって回動可能に取り付けてある。杭管６は、円筒形の管体６０と、管体６０の上部の両側二箇所に設けてある軸受部６１を備えた構造である。管体６０の下部には、例えば木の枝等でつくられた杭６４が差し込まれて固定される。なお、杭管６が回動可能に設けてあることによって、杭６４の地中での角度も調整可能であり、傾斜地での仕掛け等もしやすい。
【００４８】
基アーム１のうち杭管６のやや後方上部には、安全装置である「コ」状のアーム止具１４が開放側を上方へ向け、後方へやや傾斜するように設けてある。アーム止具１４の下部側にはピン孔（図示省略）が設けてあり、ピン孔には、軸ピン１４１によって滑車１４２が取り付けてある。なお、軸ピン１４１の取り付けは、一端側をゴム環（図示省略）で止めて簡易的に固定されており、罠作動後には捕獲獣が暴れる衝撃で外れ、滑車１４２も外れるようになっている。
【００４９】
また、アーム止具１４の上部側には、ピン孔１４３が設けてある。ピン孔１４３には、罠セット時において、後述する跳上アーム２の跳ね上がりを止めて安全を図るために、ストッパーネジ（図示省略）が挿通され、先端部がナット（図示省略）で止められる。罠セット後は、ストッパーネジは外される。
【００５０】
基アーム１のほぼ中間部には、後述するねじりコイルバネ３の一方の係合線材３１の端部を固定するためのバネ固定部１６が両側へ張出して設けてある。バネ固定部１６の両側には、係合線材３１が差し込まれ、止めネジ（図示省略）で固定されている。
【００５１】
基アーム１基部の取付部１０には、軸ピン１０１によって跳上アーム２の基部が回動自在に軸着されている。跳上アーム２の基部は、基アーム１の基部と逆に下方へ傾斜させてあり、厚さ方向の片側が切欠されて、薄肉の取付部２０が設けられている構造である。取付部２０の先端面２００は、傾斜して直線的に設けられており、上記基アーム１の停止段部１００と当接することによって、両アーム１、２を約１００°の開き角で停止させるようにしてある。
【００５２】
跳上アーム２の長さは、基アーム１の長さとほぼ同じに設定されている。跳上アーム２の先端部分には、先部係止具２１が取り付けられている。先部係止具２１は平面視で「コ」状に形成されており、開放側を先方へ向けて取り付けられている。先部係止具２１の先端部両側には、トリガー具４の横係止片４０３に係止する係止部２１０が突出して設けられている。先部係止具２１には、外形がほぼ半円形のガード部２１１が先方へ突出して設けられている。ガード部２１１には、ピン孔（図示省略）が設けてある。
【００５３】
先部係止具２１の内側には、ピン孔に挿着した軸ピン２１３によって滑車２１４が取り付けてある。ガード部２１１は、滑車の外周部より径大に形成されており、滑車２１４をガードして破損を防止できるようにしている。なお、軸ピン２１３の取り付けは、上記軸ピン１４１と同様に、一端側をゴム環（図示省略）で止めて簡易に固定されており、罠作動後には捕獲獣が暴れる衝撃で外れ、滑車２１４も外れるようになっている。跳上アーム２の中間部には、上下方向へ貫通した通孔１８が設けてある。通孔１８には、罠のセット時に番線２４が挿通して巻き付けられ、番線２４によってワイヤロープ５を簡易的に固定できる。
【００５４】
基アーム１と跳上アーム２の回動中心部の両側には、ねじりコイルバネ３がそれぞれ取り付けられている。ねじりコイルバネ３は、ほぼ対称型に形成されている。ねじりコイルバネ３は、それぞれ三重に巻かれたコイルバネ部３０と、負荷がかからない状態では約１２０°の開き角になるよう設定された係合線材３１、３２が延出されて設けられている。一方の係合線材３１は、コイルバネ部３０の外側から延出され、他方の係合線材３２はコイルバネ部３０の内側から延出されている。基アーム１に固定される側の係合線材３１は、中間部が外側から内側へ斜めに折曲されており、先端部分は上記バネ固定部１６に挿入されて固定されている。
【００５５】
跳上アーム２に係合される側の係合線材３２の先端部は、フック状に形成された係合部３３が設けてある。係合部３３は、跳上アーム２に沿って移動できるようにして係合してある。なお、一方のねじりコイルバネ３の係合線材３２の長さは、他方のねじりコイルバネ３の係合線材３２の長さよりやや短く形成されており、それぞれの係合部３３の係合位置をずらしてある。
【００５６】
罠セット時には、基アーム１と跳上アーム２の先端部に上記トリガー具４が係止される。捕獲獣を捕獲するワイヤロープ５は、先端部にループ状の括り輪５０が形成されている。括り輪５０は、絞り金具５１にワイヤロープ５の先端を止着し、ワイヤロープ５をループ状にして絞り金具５１に通して形成されている。括り輪５０は、絞り金具５１を固定し、ワイヤロープ５を後方へ引くことによって絞られる。
【００５７】
そして、ワイヤロープ５は、跳上アーム２の滑車２１４の内部隙間に挿通され、次に、基アーム１の滑車受具１４に設けてある滑車の内部隙間に挿通され、更に、跳上アーム２の番線２４で簡易的に固定され、後方へ延長されている。なお、符号５２は猿環で、ワイヤロープ５のねじれによる切断、破損等を防止するものである。
【００５８】
（作用）
図４は罠用トリガー具を使用した足括り罠において、捕獲獣が穴の縁を踏んだときの説明図、
図５は足括り罠を傾斜地に設置した状態を示す設置穴を断面した説明図である。
図１ないし図５を参照して、トリガー具４を備えた足括り罠Ｗの作用を説明する。
【００５９】
足括り罠Ｗは、獣道８に設置される。設置に当たっては、まず、基アーム１と跳上アーム２をねじりコイルバネ３の付勢力に抗して縮閉し、トリガー具４によって基アーム１と跳上アーム２を罠セット状態とする。トリガー具４は、図３に示すように踏板受具４２を例えば最も低い位置に固定しておく。この高さでは、踏板受具４２の受部材４２１の底部４２１ｂは、トリガー具４の回動中心部（係止ピン１２）より低くなっている。
また、アーム止具１４にストッパーネジを挿通してナットで止めておき、跳上アーム２が跳ね上がらないようにして、万一トリガー具４が外れた場合の安全を図るようにする。
【００６０】
獣道８から脇の地面にかけて仕掛け穴８０を掘り、仕掛け穴８０の底部に杭６４を打ち込んで足括り罠Ｗを固定する。このとき、足括り罠Ｗの本体部分は地面に対しほぼ平行に設置される。また、杭管６は基アーム１に対し直角位置から両方向に回動可能であり、杭６４の角度を比較的自由に設定可能であり、設置箇所の状況（石の位置等）に柔軟に対応できる。
そして、踏板７を仕掛け穴８０の縁部と踏板受具４２との間に掛け渡し、踏板７が踏板受具４２の受部と平行かつ獣道８の地面とほぼ平行になるようにセットする。
【００６１】
次に、括り輪５０を所定の大きさに拡げ、トリガー具４の引掛爪４２６に引っ掛けて形状を整え、踏板７を囲むことができる大きさに調整する。
なお、本発明に係るトリガー具４では、踏板受具４２の位置が高さ方向において調整可能である。上記のように罠を仕掛けることにより、踏板受具４２の位置を、罠の本体を下げることなく低く設定することができ、踏板７と、踏板７の上方にカムフラージュのために載せられる落ち葉や草の上に拡げて置かれるワイヤロープ５の括り輪５０との上下方向の間隔を十分に確保できる。ワイヤロープ５の基端部は、立ち木Ｔに括り付けられる。
【００６２】
そして、捕獲獣が踏板７を踏むと、トリガー具４が下方へ回動して両アーム１、２の先端部から外れ、両アーム１、２はねじりコイルバネ３によって瞬間的に拡開される。
なお、踏板７を受ける受部材４２１の底部４２１ｂの高さが、トリガー具４の回動中心の高さより低くなるよう設定されているので、受部材４２１の背部４２１ａが罠作動時において踏板７を水平方向に押す動作をすることはなく、トリガー具４は大きな抵抗を生じることなく下方へ落ち、円滑に作動する。
【００６３】
これによって、跳上アーム２は先部側が上方へ跳ね上がり、その反動によって基アーム１も杭管６を中心にして後部側が跳ね上がる。また、ワイヤロープ５の後部側は、番線２４で跳上アーム２に緩く簡易的に固定されているので、跳上アーム２が跳ね上がるときに、絞り金具５１が先部係止具２１に衝突し、括り輪５０は強く引き絞られ、捕獲獣の足が括られる。
【００６４】
その後は、捕獲獣が暴れるので、番線２４が切れ、各滑車２１４、１５が上記した構造により外れる。これにより、ワイヤロープ５から両アーム１、２も一体となって外れ、ワイヤロープ５だけが捕獲獣を立ち木Ｔに繋いだ状態で残る。そして、両アーム１、２がワイヤロープ５から外れることにより、捕獲獣が暴れることによる両アーム１、２やねじりコイルバネ３の破損を最小限に抑えることができる。
【００６５】
このような足括り罠Ｗの作動において、上記したように踏板７と括り輪５０との上下方向の間隔が大きくなれば、捕獲獣の足が踏板７を踏んだときの括り輪５０の位置は、罠の作動始めにおいても相当に高い位置にあり、捕獲獣の足の上部、つまり足の付け根により近く深い位置を括りやすくなる。括り輪５０が足の深い位置を括ることにより、捕獲獣はワイヤロープ５からの脱出がより困難になり、捕獲率が向上する。
【００６６】
なお、本実施の形態に係る足括り罠Ｗでは、上記したように案内部材４１の角度を調整することにより落とし金４具の踏板受具４２の上下方向の角度が調整可能である。
これにより、図５に示すように、例えば足括り罠Ｗを傾斜地に仕掛けなければならないとき、罠本体を斜めに設置した状態でも、踏板７を水平に設置することが可能となる。これにより、踏板７に対して捕獲獣の体重がより確実にかかるので、傾斜地に仕掛けた足括り罠Ｗの作動感度が低下することを防止できる。
【００６７】
また、この場合では、上記したように跳上げアーム２の跳上げ方向（矢印ａ）及び括り輪５０の移動方向（矢印ｂ）が水平に近い横方向になり、足９を括りにくくなるが、括り輪５０と踏板７の間隔を大きくすることによって、足の上部を括りやすくなるため、捕獲率が向上する。
更には、図４に示すように、捕獲獣の足９が、本来足を括ることができない位置である穴８０の縁部を踏んだときに、多少土が崩れたとしても、踏板７が下方へ離れているため簡単に落ちてしまうことがなく、結果的に足括り罠Ｗの空作動を防止できる。
【００６８】
なお、足括り罠Ｗを設置する場所は、地域によって土の性質も様々である。例えば赤土のようにやや固く重い土質である場合は、踏板７に被せた土が次第に固く締まり、括り輪５０と踏板７の間隔が大きく土の厚さが厚くなってしまうと、捕獲獣の足が括り輪５０の中央を踏んでも踏板７が落ちなくなることがあった。
このようなことが想定される場合は、図５に示すように踏板７の取り付け位置を想像線で示す位置まで上げ、踏板７上に被せる土の厚さを薄くして、足の上部を括ることより作動感度を優先させることもできる。これについては、図１のように設置する場合も同様である。
【００６９】
図６は本発明に係る他の罠用トリガー具の取付部分を示す説明図、
図７は延長部材の斜視図である。
図６において、上記トリガー具４及び足括り罠Ｗの各部と共通する箇所には同じ符号を付して示し、その部分については構造的な説明は省略する。
【００７０】
トリガー具４ｂは、案内部材４１と踏板受具４２間に延長部材４５が介在させてある点を除き、上記トリガー具４と同様の構造を有している。
延長部材４５は平面視長方形状で、一方の面には案内部材４１の立ち上げ部４１３間にスライド可能に係合できる係合凸部４５０が設けてあり、他方の面には踏板受具４２の嵌合部４２２をスライド可能に係合できる係合凹部４５１が設けてある。
また、延長部材４５には、表裏面を貫通してネジ孔４５２と挿通孔４５３が交互に三箇所づつ合計六ヶ所に長手方向に並設してある。
【００７１】
延長部材４５は、係合凸部４５０を案内部材４１の立ち上げ部４１３間に係合して任意の挿通孔４５３を任意のネジ孔４１４に合わせて固定ネジ４５４で固定される。更に、延長部材４５には、踏板受具４２が嵌合部４２２を係合凹部４５１に係合し、任意の挿通孔４２４を任意のネジ孔４５２に合わせて固定ネジ４５５で固定される。
【００７２】
このようにして、罠用トリガー具４ｂは、案内部材４１の上部または下部に延長部材４５を接続して本質的に案内部材４１の長さを延長することができる。これによって、罠の接地箇所の状況に応じて踏板７の高さを調整する場合、選択範囲が広がり、より良い位置での設定が可能になり、結果的に捕獲率を向上させることができる。
【００７３】
本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【図面の簡単な説明】
【００７４】
【図１】本発明に係る足括り罠の設置状態を示す設置穴を断面した説明図。
【図２】本発明に係る罠用トリガー具の実施の形態を示す分解斜視図。
【図３】罠用トリガー具の取り付け部分を示す説明図。
【図４】罠用トリガー具を使用した足括り罠において、捕獲獣が穴の縁を踏んだときの説明図。
【図５】足括り罠を傾斜地に設置した状態を示す設置穴を断面した説明図。
【図６】本発明に係る他の罠用トリガー具の取付部分を示す説明図。
【図７】延長部材の斜視図。
【図８】従来の罠用トリガー具を使用した足括り罠の罠用トリガー具の取り付け部分を示す説明図。
【図９】従来の罠用トリガー具を使用した足括り罠において、捕獲獣が穴の縁を踏んだときの説明図。
【符号の説明】
【００７５】
Ｗ  足括り罠
１  基アーム
１０  取付部
１００  停止段部
１０１  軸ピン
１２  係止ピン
１４  アーム止具
１４１  軸ピン
１４２  滑車
１４３  ピン孔
１６  バネ固定部
１８  通孔
２  跳上アーム
２０  取付部
２００  先端面
２１  先部係止具
２１０  係止部
２１１  ガード部
２１３  軸ピン
２１４  滑車
２４  番線
３  ねじりコイルバネ
３０  コイルバネ部
３１  係合線材
３２  係合線材
３３  係合部
４  トリガー具
４０  係止基具
４０１  縦係止片
４０２  係止凹部
４０３  横係止片
４０４  肉厚部
４０５  空隙
４１  案内部材
４１１  縦片
４１２  座部材
４１３  立ち上げ部
４１４  ネジ孔
４２  踏板受具
４２１  受部材
４２１ａ  背部
４２１ｂ  底部
４２２  嵌合部
４２３  嵌合部
４２４  挿通孔
４２５  挿通孔
４２６  引掛爪
４３  固定ネジ
４４  固定ネジ
５  ワイヤロープ
５０  括り輪
５１  絞り金具
５２  猿環
６  杭管
６０  管体
６１  軸受部
６３  軸ピン
６４  杭
７  踏板
８  獣道
８０  穴
Ｔ  立木
４ｂ  トリガー具
４５  延長部材
４５０  係合凸部
４５１  延長部材
４５２  ネジ孔
４５３  挿通孔
４５４  固定ネジ
４５５  固定ネジ
【図１】
2005253343.tif 000003
【図２】
2005253343.tif 000004
【図３】
2005253343.tif 000005
【図４】
2005253343.tif 000006
【図５】
2005253343.tif 000007
【図６】
2005253343.tif 000008
【図７】
2005253343.tif 000009
【図８】
2005253343.tif 000010
【図９】
2005253343.tif 000011